(57)【要約】  【課題】本体内蔵の電池残量の低下を極力抑えることのできるワイヤレスマイクロホン、マイクロホンスタンドおよびマイクロホンシステムを提供する。  【解決手段】筒状ケースの周面に非接触電力伝送部の受電部を有し、受電部で受電された非接触電力伝送部の給電部からの電力によって内蔵の電池を充電する。また、受電部は、マイクロホンスタンドのマイクロホンホルダに設けられた給電部または平面に設けられた給電部からの電力を受電する。【選択図】図１
2014072612.tif 000002
【特許請求の範囲】
【請求項１】
筒状ケースの周面に非接触電力伝送部の受電部を有し、
前記受電部で受電された非接触電力伝送部の給電部からの電力によって内蔵の電池を充電する
ワイヤレスマイクロホン。
【請求項２】
前記受電部は、マイクロホンスタンドのマイクロホンホルダに設けられた給電部または平面に設けられた給電部からの電力を受電する
請求項１記載のワイヤレスマイクロホン。
【請求項３】
前記受電部は、前記周面に互いに離間して複数設けられる
請求項１乃至２の何れかに記載のワイヤレスマイクロホン。
【請求項４】
前記平面に置かれたときの位置を規制するアタッチメントが取り付け可能とされ、前記アタッチメントは、置かれたときの前記受電部が前記平面と近接して位置するように取り付けられる
請求項２記載のワイヤレスマイクロホン。
【請求項５】
ワイヤレスマイクロホンを保持するマイクロホンホルダと、
前記マイクロホンホルダが一端に設けられる支持体と、
前記支持体の他端に設けられる電力伝送部の受電部と、
前記マイクロホンホルダに設けられる非接触電力伝送部の給電部とを有する
マイクロホンスタンド。
【請求項６】
前記電力伝送部は、非接触電力伝送である
請求項５記載のマイクロホンスタンド。
【請求項７】
電池を有し、
前記電池は、前記電力伝送部の受電部から供給される電力によって充電され、前記電池の出力電力を前記非接触電力伝送部の給電部へと供給する
請求項５乃至６の何れかに記載のマイクロホンスタンド。
【請求項８】
前記非接触電力伝送部の給電部は、前記ワイヤレスマイクロホンの長手方向に対応して前記マイクロホンホルダに複数設けられる
請求項５乃至７の何れかに記載のマイクロホンスタンド。
【請求項９】
ワイヤレスマイクロホンと、
マイクロホンスタンドとを有し、
前記マイクロホンスタンドは、
前記ワイヤレスマイクロホンを保持するマイクロホンホルダと、
前記マイクロホンホルダが一端に設けられる支持体と、
前記支持体の他端に設けられる電力伝送部の受電部と、
前記マイクロホンホルダに設けられる非接触電力伝送部の給電部とを有し、
前記ワイヤレスマイクロホンは、
筒状ケースの周面に前記非接触電力伝送部の受電部を有し、
前記非接触電力伝送部の受電部で受電された前記非接触電力伝送部の給電部からの電力によって内蔵の電池を充電する
マイクロホンシステム。
【請求項１０】
前記電力伝送部は、非接触電力伝送である
請求項９記載のマイクロホンシステム。
【発明の詳細な説明】
【技術分野】
【０００１】
本開示は、ワイヤレスマイクロホン、マイクロホンスタンドおよびマイクロホンシステムに関する。詳しくは、非接触電力伝送を利用したワイヤレスマイクロホン、マイクロホンスタンドおよびマイクロホンシステムに関する。
【背景技術】
【０００２】
音声を電波で送信するワイヤレスマイクロホンは内蔵の電池によって動作する。ワイヤレスマイクロホンは、電池が、ワイヤレスマイクロホンの電気回路を駆動可能な電圧を維持している間において使用可能である。ワイヤレスマイクロホンに用いられる電池には交換可能な乾電池や、充電可能な例えば二次電池（蓄電池）がある。二次電池を内蔵するワイヤレスマイクロホンは、ワイヤレスマイクロホン本体と充電器とが接続されることで充電される。
【０００３】
特許文献１（特開平０７−２１２８８７号公報）には、マイクロホン本体の充電器挿入側である底面に２次側コイルを設けて内蔵した充電電池と接続させ、充電器側のマイクロホン挿入口側に１次側コイルを設けて、マイクロホン本体を充電器に挿入した際、両者が接近するようにした非接触充電式ワイヤレスマイクロホンが開示されている。これによって、特許文献１では、マイクロホン本体および充電器が、外部に露出する金属接触端子を備えていないため、腐食や埃による接触不良を防ぐことができ、高い信頼度で充電を行えるとしている。
【先行技術文献】
【特許文献】
【０００４】
【特許文献１】特開平０７−２１２８８７号公報
【発明の概要】
【発明が解決しようとする課題】
【０００５】
ワイヤレスマイクロホンの連続使用可能時間は、ワイヤレスマイクロホンに搭載された電池の容量に依存する。上述したように、電池が、ワイヤレスマイクロホンの電気回路を駆動可能な電圧を下回った場合にはワイヤレスマイクロホンは使用できなくなる。特に、放送中にはワイヤレスマイクロホンの電池が切れることを避ける必要がある。したがって、ユーザは、ワイヤレスマイクロホンの運用中に、電池残量を管理し、電池残量が少なくなったら電池の交換あるいは充電を行う必要がある。電池の交換は、バックステージ等の暗い場所で行われる場合や短時間で行わなければならない場合が多く、ユーザにとって負担が大きい。
【０００６】
特許文献１においては、非接触電力伝送によって充電されるワイヤレスマイクロホンが開示されているもののワイヤレスマイクロホンの運用中に関する言及は見当たらず、ユーザの運用中の負担が軽減されていない。
【０００７】
したがって、本開示の目的は、本体内蔵の電池残量の低下を極力抑えることのできるワイヤレスマイクロホン、マイクロホンスタンドおよびマイクロホンシステムを提供することにある。
【課題を解決するための手段】
【０００８】
上述の課題を解決するために、本開示は、筒状ケースの周面に非接触電力伝送部の受電部を有し、
受電部で受電された非接触電力伝送部の給電部からの電力によって内蔵の電池を充電する
ワイヤレスマイクロホンである。
【０００９】
本開示は、ワイヤレスマイクロホンを保持するマイクロホンホルダと、
マイクロホンホルダが一端に設けられる支持体と、
支持体の他端に設けられる電力伝送部の受電部と、
マイクロホンホルダに設けられる非接触電力伝送部の給電部とを有する
マイクロホンスタンドである。
【００１０】
本開示は、ワイヤレスマイクロホンと、
マイクロホンスタンドとを有し、
マイクロホンスタンドは、
ワイヤレスマイクロホンを保持するマイクロホンホルダと、
マイクロホンホルダが一端に設けられる支持体と、
支持体の他端に設けられる電力伝送部の受電部と、
マイクロホンホルダに設けられる非接触電力伝送部の給電部とを有し、
ワイヤレスマイクロホンは、
筒状ケースの周面に非接触電力伝送部の受電部を有し、
非接触電力伝送部の受電部で受電された非接触電力伝送部の給電部からの電力によって内蔵の電池を充電する
マイクロホンシステムである。
【発明の効果】
【００１１】
本開示によれば、本体内蔵の電池残量の低下を極力抑えることのできるワイヤレスマイクロホン、マイクロホンスタンドおよびマイクロホンシステムを提供することができる。
【図面の簡単な説明】
【００１２】
【図１】本開示の一実施の形態に係るマイクロホンシステムの一構成例を示す略線図である。
【図２】本開示の一実施の形態に係るマイクロホンシステムの一構成例を示すブロック図である。
【図３】本開示の一実施の形態に係るマイクロホンシステムの他の構成例を示すブロック図である。
【図４】本開示の一実施の形態に係るマイクロホンスタンドに設けられる給電部を説明するための略線図である。
【図５】マイクロホンスタンドに設けられる給電部とワイヤレスマイクロホンに設けられる受電部との位置関係を説明するための図４に示したＡ−Ａ線に沿った断面図である。
【図６】本開示の一実施の形態に係るマイクロホンスタンドに設けられる給電部とワイヤレスマイクロホンに設けられる受電部との位置関係を説明するための図４に示したＡ−Ａ線に沿った断面図である。
【図７】本開示の一実施の形態に係るワイヤレスマイクロホンの内部充電回路の一構成例を示すブロック図である。
【図８】本開示の一実施の形態に係るワイヤレスマイクロホンの位置を規制するアタッチメントの一構成例を示す略線図である。
【図９】本開示の一実施の形態に係るワイヤレスマイクロホン回路に対する電源供給経路の一構成例および他の構成例を概念的に示すブロック図である。
【発明を実施するための形態】
【００１３】
以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。
なお、本開示の説明は、下記の順序にしたがってなされる。
＜１．本開示の一実施の形態＞
［マイクロホンシステムの構成］
［非接触電力伝送部の構成］
［アタッチメントの構成］
【００１４】
＜１．本開示の一実施の形態＞
［マイクロホンシステムの構成］
まず、本開示の一実施の形態に係るマイクロホンシステムの構成について説明を行う。図１に、本開示の一実施の形態に係るマイクロホンシステムの構成の一例を示す。本開示の一実施の形態に係るマイクロホンシステム１は、ワイヤレスマイクロホン２とマイクロホンスタンド３とを有する。
【００１５】
本開示の一実施の形態に係るワイヤレスマイクロホン２は、筒状のケース２０の周面に、後述する非接触電力伝送部の受電部を有する。ワイヤレスマイクロホン２は、非接触電力伝送部の受電部で受電された筒状のケース２０外の非接触電力伝送部の給電部からの電力によって内蔵の例えば二次電池を充電する。
【００１６】
本開示の一実施の形態に係るマイクロホンスタンド３は、ワイヤレスマイクロホン２を保持するマイクロホンホルダ３０と、マイクロホンホルダ３０が一端に設けられる支持体３１とによって構成される。さらに、マイクロホンスタンド３は、支持体３１の他端に設けられる非接触電力伝送部の受電部としての受電コイル３２と、マイクロホンホルダ３０に設けられる後述する非接触電力伝送部の給電部とを有する。なお、図１の支持体３１は、棒状で示されているもののこれは柱状であっても良い。そして、支持体３１の他端には、図１に示されるような基台（ベース）３５が設けられても良い。基台３５が設けられる場合には、その内部に受電コイル３２を有する形態としても良い。
【００１７】
このような構成のマイクロホンシステム１が、舞台等のステージ１００の床面に埋め込まれた、あるいは薄型にされてステージ１００の上に設けられた電源装置４の上に置かれる。電源装置４の上面付近には給電部としての給電コイル４０が設けられている。ステージ１００には、給電部の位置を示すマークが必要に応じて設けられる。マイクロホンスタンド３の非接触電力伝送部の受電コイル３２は、上述した電源装置４のような平面に設けられた非接触電力伝送部の給電コイル４０からの電力を受電する。
【００１８】
上述した各機器が図１に示すように設置される。次に、ワイヤレスマイクロホン２への電源供給の流れについて説明する。
【００１９】
ここで、非接触電力伝送の方式について説明する。非接触での電力供給を可能にする方式としては主に３種類ある。
１．２つの隣接するコイルの一方に電流を流すことで発生する磁束を媒介して隣接するコイルの他方に起電力が発生する電磁誘導を用いた「電磁誘導方式」
２．電流を電磁波に変換しアンテナを介して送受信する技術である「電波方式」
３．電磁界の共鳴現象を利用した「電磁界共鳴方式」
【００２０】
その中でも、主に用いられるのが電磁誘導方式である。なお、電磁誘導方式では、２つの隣接するコイルの位置ずれによる伝送効率の低下や、電磁波の高周波への対策が必要となる。ここでは電磁誘導方式が用いられる非接触電力伝送を例示して説明する。なお、本開示の一実施の形態に係るマイクロホンシステム１には他の非接触電力伝送の方式が用いられても良い。
【００２１】
ステージ１００の床面に設置された電源装置４には交流（Alternating Current, ＡＣ）１００Ｖ等の電源が供給される。電源装置４は、給電コイル４０から、上面に設置されたマイクロホンスタンド３の受電コイル３２に非接触電力伝送によって電源を供給する。供給された電源は、マイクロホンスタンド３の内部に設けられる図示せぬ回路や配線３３を経由してマイクロホンホルダ３０の内部の給電部に送られる。マイクロホンホルダ３０の内部の給電部は、取り付けられたワイヤレスマイクロホン２の筒状のケース２０の周面の受電部に非接触電力伝送によって電源を供給する。
【００２２】
マイクロホンスタンド３は、充電可能な電池３４を内蔵する形態とされていても良い。内蔵の電池３４は、例えば支持体３１の内部の電源供給の経路中に搭載される。電池３４を内蔵するマイクロホンスタンド３が電源装置４の上に置かれると電池３４は、電源装置４から供給された電力によって充電される。
【００２３】
非接触電力伝送は、電源装置４とマイクロホンスタンド３との間でなされる。そして、非接触電力伝送は、マイクロホンスタンド３とワイヤレスマイクロホン２との間でなされる。ワイヤレスマイクロホン２、マイクロホンスタンド３および電源装置４が図１に示されるような所定の位置に置かれたときには電源が供給される。さらに、非接触電力伝送は、直接、電源装置４とワイヤレスマイクロホン２との間でもなされる。
【００２４】
次に、本開示の一実施の形態に係るマイクロホンシステムの電気系統について説明する。図２に、本開示の一実施の形態に係るマイクロホンシステム１の内部回路の一構成例を示す。
【００２５】
図２に示すように、電源装置４は、電源４１と、給電部の一例としての給電コイル（１次コイル）４０とを有する。電源４１に対して、配線や、図示せぬ内部回路等によって給電コイル４０が接続されている。電源４１としては交流が用いられる。給電コイル４０には交流が供給される。
【００２６】
マイクロホンスタンド３は、受電部の一例としての受電コイル（２次コイル）３２と、給電部の一例としての給電コイル３６とを有する。受電コイル３２と、給電コイル３６とは配線３３や、図示せぬ内部回路等によって接続されている。受電コイル３２に生じた交流が給電コイル３６に供給される。
【００２７】
ワイヤレスマイクロホン２は、受電部の一例としての受電コイル２１と、整流回路２２と、電池２３とを有する。電池２３は、充電可能であれば良い。電池２３としては、例えば二次電池の一種のニッケル水素電池が用いられる。受電コイル２１に生じた交流が整流回路２２に供給される。交流が、整流回路２２において直流へと変換される。変換された直流電源が電池２３に供給されることによって電池２３が充電される。
【００２８】
電池２３の充電は、図示せぬ充電制御部によって制御される。図示せぬ充電制御部は、ワイヤレスマイクロホン２に電力が供給されたことを検知すると電池２３の充電動作を開始する。図示せぬ充電制御部は、電池電圧、充電電流、電池２３の温度等に例示される電池２３の充電状態を検出し、電池２３が満充電の際には充電を停止する。なお、ワイヤレスマイクロホン２がマイクロホンホルダ３０に取り付けられたことを図示せぬ検知部が検知するとワイヤレスマイクロホン２が充電動作状態になるようにしても良い。さらに、ワイヤレスマイクロホン２が、給電コイル３６または給電コイル４０に近接したことを例えば磁力を通じて図示せぬ検知部が検知するとワイヤレスマイクロホン２が充電動作状態になるようにしても良い。さらに、図示せぬスイッチによって電池２３の充電を開始するように構成しても良い。
【００２９】
電源装置４の給電コイル４０と、マイクロホンスタンド３の受電コイル３２とは第１の非接触電力伝送部５０を構成する。供給される交流電流によって給電コイル４０を貫く磁束が時間的に変化する。給電コイル４０に隣接する受電コイル３２を貫く磁束もまた時間的に変化すると電磁誘導によって受電コイル３２に起電力が発生する。その際に、給電コイル４０および受電コイル３２を貫く磁束は、給電コイル４０に供給される交流電流の周期で時間的に変化しているので、発生する起電力も交流になる。
【００３０】
同様に、マイクロホンスタンド３の給電コイル３６と、ワイヤレスマイクロホン２の受電コイル２１とは第２の非接触電力伝送部６０を構成する。
【００３１】
次に、本開示の一実施の形態に係るマイクロホンシステムの他の構成例の電気系統について説明する。図３に、本開示の一実施の形態に係るマイクロホンシステム１の内部回路の他の構成例を示す。
【００３２】
本開示の一実施の形態における他の構成例に係るマイクロホンスタンド３は、受電コイル３２と、給電コイル３６との間に、整流回路３７と、充電回路３８と、電池３４と、インバータ３９とを有する。それ以外の構成については、上述した一実施の形態の一構成例と同様である。このように、本開示の一実施の形態における他の構成例においては、マイクロホンスタンド３の内部において充電可能である点が上述した一実施の形態の一構成例とは異なる。
【００３３】
受電コイル３２に生じた交流が整流回路３７に供給される。交流が、整流回路３７において直流へと変換される。変換された直流が充電回路３８に供給される。充電回路３８には、図示せぬ充電制御部、定電流回路、定電圧回路、出力回路等が含まれる。充電回路３８から出力される電力が電池３４に供給されることによって電池３４が充電される。
【００３４】
電池３４の充電は、充電回路３８の図示せぬ充電制御部によって制御される。図示せぬ充電制御部は、マイクロホンスタンド３に電力が供給されたことを検知すると電池３４の充電を開始する。図示せぬ充電制御部は、電池電圧、充電電流、電池３４の温度等に例示される電池３４の充電状態を検出し、電池３４が満充電の際には充電を停止する。なお、マイクロホンスタンド３が電源装置４の上に置かれたことを図示せぬ検知部が検知すると電池３４の充電を開始するようにしても良い。さらに、マイクロホンスタンド３の受電コイル３２が給電コイル４０に近接したことを例えば磁力を通じて図示せぬ検知部が検知するとワイヤレスマイクロホン２が充電動作状態になるようにしても良い。さらに、図示せぬスイッチによって電池３４の充電を開始するように構成しても良い。
【００３５】
電池３４としては、ニッケル水素電池、リチウムイオン電池等が用いられる。キャパシタを使用しても良い。マイクロホンスタンド３の場合、重量、収納スペース等の制限が少ないので電池３４は、電池２３よりも大容量とすることが好ましい。例えば、電池２３には、ニッケル水素電池を１つ用い、電池３４には、ニッケル水素電池を並列で２つ用いる形態としても良い。電池３４には、他の種類の大容量電池が用いられても構わない。
【００３６】
電池３４から放電される直流はインバータ３９に供給される。直流が、インバータ３９において交流へと変換される。変換された交流が給電コイル３６に供給される。ワイヤレスマイクロホン２への非接触電力伝送は上述した一実施の形態の一構成例と同様である。
【００３７】
以上に説明した本開示の一実施の形態における他の構成例に係るマイクロホンシステム１のように、マイクロホンスタンド３は、電源装置４から受電した電力を蓄電する機能を有しても良い。本開示の一実施の形態における他の構成例では、電源装置４からマイクロホンスタンド３へと電力が供給されていない状態においても、マイクロホンスタンド３からワイヤレスマイクロホン２への電源供給が可能となる。
【００３８】
マイクロホンスタンド３には大きい容量の二次電池を有しているので、マイクロホンスタンド３が電源装置４から離れた場合でもワイヤレスマイクロホン２に電源を供給することができる。なお、マイクロホンスタンド３が据え置きで使用される場合には、電源装置４とマイクロホンスタンド３との間を有線接続による電源接続機能を有する形態としても良い。
【００３９】
［非接触電力伝送部の構成］
次に、本開示の一実施の形態に係るマイクロホンシステムの非接触電力伝送部の構成について説明する。図４に、本開示の一実施の形態に係るマイクロホンスタンド３に設けられる給電部の一例を示す。マイクロホンスタンド３では、第２の非接触電力伝送部６０の給電部としての給電コイル３６は、ワイヤレスマイクロホン２の筒状のケース２０の長手方向に対応してマイクロホンホルダ３０に複数設けられる。これによって、ワイヤレスマイクロホン２がマイクロホンスタンド３に設置される際の筒状のケース２０の長手方向についての位置の変動に起因する非接触電力伝送の効率の低下が防止される。
【００４０】
なお、ワイヤレスマイクロホン２の受電部としての受電コイル２１が筒状のケース２０の長手方向に複数箇所設置されるようにしても良い。しかしながら、ワイヤレスマイクロホン２の容積、重量、コイルのノイズ、干渉および内部回路の複雑化等の観点からマイクロホンホルダ３０の複数箇所に給電コイル３６を設置する方が好ましい。
【００４１】
次に、マイクロホンスタンド３に設けられる給電コイル３６とワイヤレスマイクロホン２に設けられる受電コイル２１との位置関係を説明する。図５に、ワイヤレスマイクロホン２に設けられる受電コイル２１の一例を示す。なお、図５は、図４に示したＡ−Ａ線に沿った断面を示している。
【００４２】
給電コイル３６の設けられるマイクロホンホルダ３０は、操作性およびワイヤレスマイクロホン２の保持力の観点から筒状のケース２０を全周覆う筒状とすることが難しく、クリップ型、あるいは筒の上側が切り欠かれた様な形状が採用されている。したがって、マイクロホンホルダ３０内の全周にわたって給電コイル３６が設けられることは困難である。そのため、ワイヤレスマイクロホン２の受電部の受電素子が１つの場合において、図５に示すように、ワイヤレスマイクロホン２の受電コイル２１が給電コイル３６と距離を隔てて設置された場合には受電できない、あるいは受電効率が悪くなるといった問題が発生しうる。
【００４３】
この問題を解消するために、受電コイル２１が給電コイル３６に重なるようにマイクロホンスタンド３へワイヤレスマイクロホン２を設置することができるように誘導用の部材を新たに設けても良い。しかしながら、ワイヤレスマイクロホン２をマイクロホンスタンド３に置く動作は、ユーザが、ワイヤレスマイクロホン２の使用中に意識することなく行う動作であり、毎回、指定の位置に合わせて置くようにするのは新たな煩わしさが発生する。
【００４４】
図６に示すように、受電コイル２１Ａ、２１Ｂおよび２１Ｃが複数箇所に、例えば３箇所に設けられている。なお、図６も、図５と同様に、図４に示したＡ−Ａ線に沿った断面を示している。受電コイル２１Ａ、２１Ｂおよび２１Ｃの各々は、ケース２０の周面に、互いに離間して複数設けられる。このような構成によって、ワイヤレスマイクロホン２の受電コイル２１Ａ、２１Ｂおよび２１Ｃの何れかが容易に給電コイル３６に近接して置かれることとなり、ワイヤレスマイクロホン２は効率良く受電することができるようになる。なお、ワイヤレスマイクロホン２の容積、重量、コイルのノイズ、干渉および内部回路の複雑化等の観点から３箇所に受電コイル２１を設置するのが好ましい。
【００４５】
図７に示すように、受電部の一例としての受電コイル２１Ａ、２１Ｂおよび２１Ｃが３箇所にそれぞれ設けられる。それぞれの受電コイル２１Ａ、２１Ｂおよび２１Ｃから出力される交流は整流回路２２Ａ、２２Ｂおよび２２Ｃでそれぞれ直流に変換される。整流回路２２Ａ、２２Ｂおよび２２Ｃの各々で変換された直流が加算されて充電制御回路２５に供給される。充電制御回路２５に供給された直流が電池２３に供給され、供給される電力によって電池２３は充電される。
【００４６】
このように、複数箇所に設けられる受電コイル２１Ａ、２１Ｂおよび２１Ｃの各々が電池２３に接続されており、受電コイル２１Ａ、２１Ｂおよび２１Ｃの何れか１つでも給電コイル３６と近接していれば電池２３を充電することができるように構成されている。すなわち、受電コイル２１Ａ、２１Ｂおよび２１Ｃの何れから受電してもワイヤレスマイクロホン２へ給電できるように構成されており、マイクロホンホルダ３０の給電コイル３６（図６参照）から効率良く受電することができる。このような構成によって、ワイヤレスマイクロホン２のマイクロホンホルダ３０への設置の状態に影響されずにワイヤレスマイクロホン２へ電源を供給することが可能となる。
【００４７】
ワイヤレスマイクロホン２に電源が供給されている間は、供給されている電源によって駆動しても良く、電池２３（図２、図３参照）への充電動作を併せて行っても良い。一方で、ワイヤレスマイクロホン２がマイクロホンホルダ３０から外された場合、あるいはマイクロホンスタンド３が電源装置４から外れた位置へ移動された場合には、電源供給が停止される。この場合には、ワイヤレスマイクロホン２は内蔵された電池２３によって駆動する。
【００４８】
非接触電力伝送では、コイルの電磁誘導によって電力が伝送されるため、ワイヤレスマイクロホン２の使用する電波帯域との干渉を防ぐ必要があり、受電部および給電部はシールド構造にする等の対策が必要となる。なお、携帯電話等で用いられている方式では使用周波数が１１０ｋＨｚ〜２０５ｋＨｚとされている。本開示の一実施の形態に係るマイクロホンシステム１では、ワイヤレスマイクロホン２の周波数と非接触電力伝送の際の周波数との帯域の干渉を避けることが考慮されて構成されている。
【００４９】
［アタッチメントの構成］
本開示の一実施の形態に係るマイクロホンシステム１では、第１の非接触電力伝送部５０（図２、図３参照）および第２の非接触電力伝送部６０（図２、図３参照）が同じ規格で構成されている。すなわち、受電コイル２１と受電コイル３２（図２、図３参照）、および給電コイル３６と給電コイル４０（図２、図３参照）の各々が同じ規格で構成されている。
【００５０】
このように構成される本開示の一実施の形態に係るマイクロホンシステム１のワイヤレスマイクロホン２は電源装置４の上に置かれた場合にも給電コイル４０から直接受電することが可能とされている。したがって、本開示の一実施の形態に係るワイヤレスマイクロホン２の受電コイル２１は、マイクロホンスタンド３のマイクロホンホルダ３０に設けられた給電コイル３６または平面に設けられた電源装置４の給電コイル４０からの電力を受電する。
【００５１】
マイクロホンスタンド３が用いられない一例として、会議室等で、ワイヤレスマイクロホン２を複数人が交代で使用するような場合が想定される。このような場合において、ワイヤレスマイクロホン２は、使用されていない間には机の上等に置かれることになる。このとき、上述したステージ１００の電源装置４に相当する給電装置が机の上に設置され、給電コイル４０（図２、図３参照）の上にワイヤレスマイクロホン２が置かれることによって給電されるようにすることができる。
【００５２】
図８Ａ〜図８Ｃには、上述した例のようなワイヤレスマイクロホン２の平面設置を考慮した本開示の一実施の形態に係るアタッチメント２６を示す。本開示の一実施の形態に係るワイヤレスマイクロホン２は、図８Ａに示されるアタッチメント２６が取り付け可能な構造にしても良い。
【００５３】
図８Ａに示すように、アタッチメント２６は略環状である。アタッチメント２６には例えば樹脂が用いられる。樹脂以外にも、伸縮性を有する例えばゴムが用いられても良い。アタッチメント２６には、その外周面からさらに外周方向に突出する突起２７が設けられる。図８Ａにおいて突起２７は３箇所に設けられている。なお、突起２７の数は、ワイヤレスマイクロホン２に設けられる受電部の数に対応して決定される。
【００５４】
図８Ｂに示すように、アタッチメント２６は、ワイヤレスマイクロホン２の例えばマイクロホンヘッド２８に取り付けられる。アタッチメント２６は、筒状のケース２０が延びる長手方向に対して垂直方向にマイクロホンヘッド２８を周回するように取り付けられる。
【００５５】
図８Ｃに示すように、アタッチメント２６が取り付けられたワイヤレスマイクロホン２が図示せぬ給電装置が設けられる平面２００上に置かれる。図８Ｃには、受電コイル２１の位置が模式的に示されている。本開示の一実施の形態に係るワイヤレスマイクロホン２は、平面２００に置かれたときの位置を規制するアタッチメント２６が取り付け可能とされる。そして、アタッチメント２６は、ワイヤレスマイクロホン２の置かれたときの受電コイル２１が平面２００の図示せぬ給電装置と近接して位置するように取り付けられる。
【００５６】
すなわち、机の上、ステージ１００（図１参照）の床面等の平面２００の上にワイヤレスマイクロホン２が置かれて転がった場合にアタッチメント２６に設けられる突起２７によってその回転を止めることができる。ワイヤレスマイクロホン２の転がりが止まった際の受電コイル２１の位置が平面２００と近接するようにアタッチメント２６が調整される。アタッチメント２６は、上述した調整を可能とするために、ワイヤレスマイクロホン２に対して着脱自在に構成されている。
【００５７】
アタッチメント２６によってワイヤレスマイクロホン２の受電コイル２１の何れかが平面設置された給電装置の上に容易に置かれることとなり、ワイヤレスマイクロホン２は効率良く受電することができるようになる。なお、上述したアタッチメント２６は一例であって、ワイヤレスマイクロホン２の転がりを止めることができるのであれば突起２７をそれ以外の形状（例えば矩形状）に形成しても良いし、逆に溝状としても良い。
【００５８】
次に、本開示の一実施の形態に係るワイヤレスマイクロホン回路に対する電源供給経路の構成について説明する。図９Ａは、本開示の一実施の形態に係るワイヤレスマイクロホン２の電源供給経路の一構成例を概念的に示す。図９Ａには、ワイヤレスマイクロホン２の電源供給経路として、入力端子Ｔinと、スイッチＳＷ１と、電池２３と、無線伝送部、増幅器等を含むワイヤレスマイクロホン回路２９とが示されている。入力端子Ｔinには、上述した非接触電力伝送部からの電源が供給される。
【００５９】
スイッチＳＷ１は、第１の端子ａと、第２の端子ｂと、第３の端子ｃとを有している。そして、第３の端子ｃは、第１の端子ａおよび第２の端子ｂの何れかとの間で択一的に導通する。ワイヤレスマイクロホン２の筒状のケース２０（図１参照）等に設けられる図示せぬ電源（トーク）スイッチが切り替えられることによってスイッチＳＷ１内の各端子間の導通状態が切り替えられる。すなわち、ワイヤレスマイクロホン２の不使用時に電源スイッチがオフとされることによって、第１の端子ａと第３の端子ｃとの間が導通状態とされ、第２の端子ｂと第３の端子ｃとの間が非導通状態とされる。一方で、ワイヤレスマイクロホン２の使用時に電源スイッチがオンとされることによって、第２の端子ｂと第３の端子ｃとの間が導通状態とされ、第１の端子ａと第３の端子ｃとの間が非導通状態とされる。
【００６０】
入力端子Ｔinに対して、スイッチＳＷ１の第１の端子ａが接続されている。さらに、電池２３に対しては、スイッチＳＷ１の第３の端子ｃが接続されている。さらに、ワイヤレスマイクロホン回路２９に対しては、スイッチＳＷ１の第２の端子ｂが接続されている。
【００６１】
次に、ワイヤレスマイクロホン２の電源供給経路の一構成例における電源供給について説明する。ワイヤレスマイクロホン２の不使用時に電源スイッチがオフとされる場合には第１の端子ａと第３の端子ｃとの間が導通状態とされる。入力端子Ｔinから入力される電源は、スイッチＳＷ１の第１の端子ａと第３の端子ｃとを通じて電池２３に供給される。供給される電力によって電池２３が充電される。
【００６２】
一方で、ワイヤレスマイクロホン２の使用時に電源スイッチがオンとされる場合には第２の端子ｂと第３の端子ｃとの間が導通状態とされる。電池２３の電力が、スイッチＳＷ１の第３の端子ｃと第２の端子ｂとを通じてワイヤレスマイクロホン回路２９に供給される。供給される電力によって、ワイヤレスマイクロホン回路２９が動作してワイヤレスマイクロホン２が機能する。
【００６３】
ワイヤレスマイクロホン２の電源供給経路の一構成例では、電源スイッチが切り替えられることによって、電池２３への充電と、電池２３からの放電とが切り替えられる。
【００６４】
次に、図９Ｂは、ワイヤレスマイクロホン２の電源供給経路の他の構成例を概念的に示す。図９Ｂには、ワイヤレスマイクロホン２の電源供給経路として、入力端子Ｔinと、電池２３と、スイッチＳＷ２と、ワイヤレスマイクロホン回路２９とが示されている。入力端子Ｔinには、上述した非接触電力伝送部からの電源が供給される。なお、図示しないが、入力端子Ｔinに対する電源の供給の有無を検出する検出部が設けられている。なお、図示せぬ検出部は、ワイヤレスマイクロホン２が受電した電力を検出しても良く、ワイヤレスマイクロホン２がマイクロホンスタンド３に取り付けられたことを検出するようにしても良い。
【００６５】
スイッチＳＷ２は、入力端子ａと、入力端子ｂと、出力端子ｃとを有している。そして、出力端子ｃは、入力端子ａおよび入力端子ｂの何れかとの間で択一的に導通する。スイッチＳＷ２内の各端子間の導通は、入力端子Ｔinからの電源供給の有無によって切り替えられる。すなわち、入力端子Ｔinからの電源供給がある場合には、入力端子ａと出力端子ｃとの間が導通状態とされ、入力端子ｂと出力端子ｃとの間が非導通状態とされる。一方で、入力端子Ｔinからの電源供給がない場合には、入力端子ｂと出力端子ｃとの間が導通状態とされ、入力端子ａと出力端子ｃとの間が非導通状態とされる。
【００６６】
入力端子Ｔinに対して、スイッチＳＷ２の入力端子ａおよび入力端子ｂの各々が接続されている。さらに、入力端子Ｔinと入力端子ｂとの間の経路から分岐して電池２３が接続されている。さらに、ワイヤレスマイクロホン回路２９に対しては、スイッチＳＷ２の出力端子ｃが接続されている。
【００６７】
次に、ワイヤレスマイクロホン２の電源供給経路の他の構成例における電源供給について説明する。入力端子Ｔinからの電源供給がある場合には入力端子ａと出力端子ｃとの間が導通状態とされる。入力端子Ｔinから入力される電源は、スイッチＳＷ２の入力端子ａと出力端子ｃとを通じてワイヤレスマイクロホン回路２９に供給される。供給される電力によって、ワイヤレスマイクロホン回路２９が動作してワイヤレスマイクロホン２が機能する。それとともに、入力端子Ｔinから入力される電源は電池２３に供給される。供給される電力によって電池２３が充電される。
【００６８】
一方で、入力端子Ｔinからの電源供給がない場合には入力端子ｂと出力端子ｃとの間が導通状態とされる。電池２３に蓄電された電力が、スイッチＳＷ２の入力端子ｂと出力端子ｃとを通じてワイヤレスマイクロホン回路２９に供給される。電池２３から供給される電力によって、ワイヤレスマイクロホン回路２９が動作してワイヤレスマイクロホン２が機能する。
【００６９】
ワイヤレスマイクロホン２の電源供給経路の他の構成例では、入力端子Ｔinからの電源供給の有無によって、電池２３への充電と、電池２３からの放電とが切り替えられる。
【００７０】
なお、以上に説明が行われた本開示の一実施の形態に係るマイクロホンシステム１は、金属製、樹脂製等の材料を問わず、種々のワイヤレスマイクロホンおよびマイクロホンスタンドに適用することができる。
【００７１】
「一実施の形態の効果」
本開示の一実施の形態に係るマイクロホンシステムによれば、電源装置の給電面上にマイクロホンスタンドが設置され、マイクロホンホルダにワイヤレスマイクロホンが取り付けられている間は、ワイヤレスマイクロホンに電源が供給され続けるようにすることができる。したがって、ワイヤレスマイクロホンが、本体に内蔵の電池で駆動する時間を極力少なくすることが可能となり、電池残量に関わるストレスを軽減することができる効果を奏する。
【００７２】
さらに、本開示の一実施の形態によれば、図９Ｂの例のように、電池の充電を行いながら、ワイヤレスマイクロホンを動作させることができる。したがって、ワイヤレスマイクロホンが上述の状態で使用されている間はワイヤレスマイクロホンの電池が消耗せず、電池残量の低下速度を遅くすることが可能となる効果を奏する。なお、この効果は、電源装置の給電面上にワイヤレスマイクロホンが直接置かれた場合にも同様である。
【００７３】
本開示の一実施の形態によれば、マイクロホンスタンドに蓄電池を内蔵することが可能であり、ワイヤレスマイクロホンよりも大きい容積を有するマイクロホンスタンドは蓄電池容量を大きくすることが容易である。そして、ステージ上に、複数台の電源装置を効率良く配置することも容易である。したがって、簡単な構成で、ワイヤレスマイクロホンが、本体に内蔵の電池で駆動する時間を極力少なくすることが可能となり、電池残量に関わるストレスを解放することができる効果を奏する。
【００７４】
以上、本開示の実施の形態について具体的に説明したが、本開示は、上述の実施の形態に限定されるものではなく、本開示の技術的思想に基づく各種の変形が可能である。例えば、上述の実施の形態において挙げた構成、方法、工程、形状、材料および数値等はあくまでも例に過ぎず、必要に応じてこれと異なる構成、方法、工程、形状、材料および数値等を用いても良い。
【００７５】
また、上述の実施の形態の構成、方法、工程、形状、材料および数値等は、本開示の主旨を逸脱しない限り、互いに組み合わせることが可能である。
【符号の説明】
【００７６】
１  ・・・マイクロホンシステム
２  ・・・ワイヤレスマイクロホン
３  ・・・マイクロホンスタンド
４  ・・・電源装置
２０・・・ケース
２１・・・受電コイル
２３・・・電池
２６・・・アタッチメント
３０・・・マイクロホンホルダ
３１・・・支持体
３２・・・受電コイル
３４・・・電池
３６・・・給電コイル
４０・・・給電コイル
５０・・・第１の非接触電力伝送部
６０・・・第２の非接触電力伝送部
２００・・・平面
【図１】
2014072612.tif 000003
【図２】
2014072612.tif 000004
【図３】
2014072612.tif 000005
【図４】
2014072612.tif 000006
【図５】
2014072612.tif 000007
【図６】
2014072612.tif 000008
【図７】
2014072612.tif 000009
【図８】
2014072612.tif 000010
【図９】
2014072612.tif 000011